(57)【要約】【課題】  在宅状態で対人センサの監視設定、監視解除が容易にでき、実質的に誤報をなく日常の在宅活動ができる警報システムを提供することにある。【解決手段】  この発明は、対人センサが設置された第１のエリアと対人検出対象とはされない第２のエリアと、出入りのために第２のエリアに設けられた開閉扉と、対人センサを動作させて警報を発生する監視状態と対人センサの動作を停止しあるいは警報信号の発生を停止する監視停止状態とを開閉扉が所定値以上開けられるごとに交互に繰り返す制御をする制御回路と、第２のエリアに入る人あるいは第２のエリアにいる人が監視状態に設定するためのスイッチとを備えるものである。【選択図】      図１
2006048217.tif 000002
【特許請求の範囲】
【請求項１】
屋内に設置された対人センサにより侵入者を検出して警報信号を発生する警報システムにおいて、
前記対人センサが設置された第１のエリアと対人検出対象とはされない第２のエリアと、出入りのために前記第２のエリアに設けられた自動的に閉じる開閉扉と、前記対人センサを動作させて前記警報を発生する監視状態と前記対人センサの動作を停止しあるいは前記警報信号の発生を停止する監視停止状態とを前記開閉扉が所定値以上開けられるごとに交互に繰り返す制御をする制御回路と、前記第２のエリアに入る人あるいは前記第２のエリアにいる人が前記監視状態に設定するためのスイッチとを備える警報システム。
【請求項２】
屋内に設置された対人センサにより侵入者を検出して警報信号を発生する警報システムにおいて、
前記対人センサが設置された第１のエリアと対人検出対象とはされない第２のエリアと、出入りのために前記第２のエリアに設けられた開閉扉と、この開閉扉が所定の一定時間以上所定値以上開けられた状態になっているときにそのことを報知する報知装置と、前記対人センサを動作させて前記警報を発生する監視状態と前記対人センサの動作を停止しあるいは前記警報信号の発生を停止する監視停止状態とを前記開閉扉が前記所定値以上開けられるごとに交互に繰り返す制御をする制御回路と、前記第２のエリアに入る人あるいは前記第２のエリアにいる人が前記監視状態に設定するためのスイッチとを備える警報システム。
【請求項３】
監視停止状態において所定の一定期間の間、前記開閉扉が前記所定値以上開けられたままにされたときに前記制御回路は、前記所定の一定期間後に監視状態に戻す制御をする請求項２記載の警報システム。
【請求項４】
前記開閉扉が開放状態にある前記所定の一定時間は、１乃至６秒のうちから選択された時間である請求項３記載の警報システム。
【請求項５】
前記制御回路は、前記開閉扉に設けられたスイッチと前記対人センサを第１として前記開閉扉の内側あるいは外側に第２の対人センサとを有し、この第２の対人センサの検出信号と前記スイッチとに応じて前記開閉扉が前記第２のエリアの内側から開けられたのか、外側から開けられたのかを判定して、前記開閉扉が所定値以上開けられるごとではなく前記第２のエリアの内側から前記開閉扉が開けられたときに前記監視停止状態とし、前記第２のエリアの外側から前記開閉扉が開けられたときに前記監視停止状態から前記監視状態にする制御をする請求項１または２記載の警報システム。
【請求項６】
前記制御回路は、前記開閉扉に設けられたスイッチを有し、前記所定値は子供が通ることができる幅以上であり、前記スイッチにより前記所定値以上に前記開閉扉が開けられらたことを検出する請求項１乃至５のいずれか記載の警報システム。
【請求項７】
前記所定の期間はタイマにより設定され、前記スイッチ回路は開閉扉が所定値以上開けられたときにＯＮとなり、前記スイッチがＯＮからＯＦＦしたときの信号あるいは前記スイッチがＯＦＦからＯＮしたときの信号を検出信号とする請求項２乃至４のいずれか記載の警報システム。
【請求項８】
前記所定の一定期間は選択可能である請求項７記載の警報システム。
【請求項９】
前記開閉扉の内側には、前記監視状態であるか、前記記監視停止状態であるかを知らせる報知装置が設けられている請求項１または２記載の警報システム。
【請求項１０】
さらに、前記制御回路は、前記第２のエリアの内側から前記開閉扉が開けられた回数をカウントするカウンタを有し、前記第２のエリアの外側から前記開閉扉が開けられたときに前記カウンタのカウント値がディクリメントされて初期値に戻されたときに前記監視停止状態が解除される請求項５記載の警報システム。
【請求項１１】
屋内に設置された対人センサにより侵入者を検出して警報信号を発生する警報システムにおいて、
前記対人センサが設置された第１のエリアと対人検出対象とはされない第２のエリアと、前記第１のエリアへと通じる前記第２のエリアの出入口に設けられた物の通過方向を検出する移動方向検出回路と、前記移動方向検出回路が前記第２のエリアに入る方向の物の移動を検出したときに前記対人センサを動作させて前記警報を発生する監視状態とし、
前記移動方向検出回路が前記第２のエリアから出る方向の物の移動を検出したときに前記対人センサの動作を停止しあるいは前記警報信号の発生を停止する監視停止状態にする制御をする制御回路と、前記第２のエリアに入る人あるいは前記第２のエリアにいる人が前記監視状態に設定するためのスイッチとを備える警報システム。
【請求項１２】
前記移動方向検出回路は、前記第２のエリアの出入口の内側と外側とにそれぞれ設けられた第１および第２のセンサと、前記第１のセンサと第２のセンサの検出信号の発生のタイミングにより前記第２のエリアに入る方向に人が移動するか、出る方向に人が移動するかを判定する論理回路とを有する請求項１１記載の警報システム。
【請求項１３】
前記第１および第２のセンサは、少なくとも１つは赤外線光センサである請求項１２記載の警報システム。
【請求項１４】
屋内に設置された対人センサにより侵入者を検出して警報信号を発生する警報システムにおいて、
前記対人センサが設置された第１のエリアと対人検出対象とはされない第２のエリアと、前記第１のエリアへと通じる前記第２のエリアの出入口に設けられラインスイッチが複数個所定の間隔で配列されたマットスイッチと、
前記ラインスイッチの動作する順序により前記第２のエリアから人が外へ出るのか、入るのかを判定する判定回路と、この判定回路が人が前記第２のエリアに入ると判定したときに前記対人センサを動作させて前記警報を発生する監視状態とし、前記判定回路が人が前記第２のエリアから出ると判定したときに前記対人センサの動作を停止しあるいは前記警報信号の発生を停止する監視停止状態にする制御をする制御回路と、前記第２のエリアに入る人あるいは前記第２のエリアにいる人が前記監視状態に設定するためのスイッチとを備える警報システム。
【請求項１５】
前記ラインスイッチは、前記第２のエリアの出入り口の幅に対応する長さで、所定の間隔で５本以上設けられ、前記出入口において前記第２のエリアの内側あるいは外側に設けられている請求項１４記載の警報システム。
【請求項１６】
前記判定回路は、複数の前記ラインスイッチの隣接するラインスイッチがＯＦＦする順序で前記第２のエリアから人が外へ出るのか、入るのかを判定する請求項１５記載の警報システム。
【請求項１７】
さらに、前記制御回路は、前記第２のエリアの内側から前記開閉扉が開けられた回数をカウントするカウンタを有し、前記第２のエリアの外側から前記開閉扉が開けられたときに前記カウンタのカウント値がディクリメントされて初期値に戻されたときに前記監視停止状態が解除される請求項１６記載の警報システム。
【請求項１８】
屋内に設置された対人センサにより侵入者を検出して警報信号を発生する警報システムにおいて、
前記対人センサが設置された第１のエリアと対人検出対象とはされない第２のエリアと、出入りのために前記第２のエリアに設けられた自動的に閉じる開閉扉と、前記対人センサが動作している監視状態において前記開閉扉が所定値以上開けられたときに前記対人センサの動作を停止しあるいは前記警報信号の発生を停止する監視停止状態にされ、前記監視停止状態において前記開閉扉が所定値以上開けられたときに前記監視停止状態から前記監視状態に戻す制御をする制御回路と、前記第２のエリアに入る人あるいは前記第２のエリアにいる人が前記監視状態に設定するためのスイッチとを備える警報システム。
【請求項１９】
屋内に設置された対人センサにより侵入者を検出して警報信号を発生する警報システムにおいて、
前記対人センサが設置された第１のエリアと対人検出対象とはされない第２のエリアと、出入りのために前記第２のエリアに設けられた開閉扉と、この開閉扉が所定の一定時間以上所定値以上開けられた状態になっているときにそのことを報知する報知装置と、前記対人センサが動作している監視状態において前記開閉扉が所定値以上開けられたときに前記対人センサの動作を停止しあるいは前記警報信号の発生を停止する監視停止状態にされ、前記監視停止状態において前記開閉扉が前記所定値以上開けられたときに前記監視停止状態から前記監視状態に戻す制御をする制御回路と、前記第２のエリアに入る人あるいは前記第２のエリアにいる人が前記監視状態に設定するためのスイッチとを備える警報システム。
【請求項２０】
屋内に設置された対人センサにより侵入者を検出して警報信号を発生する警報システムにおいて、
前記対人センサが設置された第１のエリアと対人検出対象とはされない第２のエリアと、前記第１のエリアへと通じる前記第２のエリアの出入口に設けられた物の通過方向を検出する移動方向検出回路と、前記対人センサが動作をしている監視状態において、前記移動方向検出回路が前記第２のエリアから出る方向の物の移動を検出したときに前記対人センサの動作を停止しあるいは前記警報信号の発生を停止する監視停止状態にし、この監視停止状態にあって前記移動方向検出回路が前記第２のエリアに入る方向の物の移動を検出したときに前記監視停止状態から前記監視状態に戻す制御をする制御回路と、前記第２のエリアに入る人あるいは前記第２のエリアにいる人が前記監視状態に設定するためのスイッチとを備える警報システム。
【請求項２１】
屋内に設置された対人センサにより侵入者を検出して警報信号を発生する警報システムにおいて、
前記対人センサが設置された第１のエリアと対人検出対象とはされない第２のエリアと、前記第１のエリアへと通じる前記第２のエリアの出入口に設けられラインスイッチが複数個所定の間隔で配列されたマットスイッチと、
前記ラインスイッチの動作する順序により前記第２のエリアから人が外へ出るのか、入るのかを判定する判定回路と、前記対人センサが動作をしている監視状態において、前記判定回路が前記人が外へ出ると判定したときに前記対人センサの動作を停止しあるいは前記警報信号の発生を停止する監視停止状態に設定し、この監視停止状態にあって前記判定回路が前記人が入ると判定したときに前記監視停止状態から前記監視状態に戻す制御をする制御回路と、前記第２のエリアに入る人あるいは前記第２のエリアにいる人が前記監視状態に設定するためのスイッチとを備える警報システム。
【発明の詳細な説明】
【技術分野】
【０００１】
この発明は、警報システムに関し、詳しくは、屋内に対人センサを設置し、侵入者を検出して警報信号を発生する警報システムにおいて、在宅状態で対人センサの監視設定、監視解除が容易にでき、実質的に誤報なく日常の在宅活動ができるような、特に、夜間にトイレ等にいくときの監視状態での誤報の発生を防止することができるような警報システムに関する。
【背景技術】
【０００２】
従来の対人センサによる警報システムにあっては、玄関等に設置され、在宅、留守の切換スイッチにより留守に対人センサを動作させて監視時間帯に入るものが一般的である。しかも、人が最も多く出入りする玄関を監視エリアにしているために、タイマを設けて通常は数分後に監視状態に入るシステムになっている。この種の対人センサを備える警報システムでは、玄関を開ける鍵に連動して警報システムが解除される（非特許文献１参照）。
また、セコム（登録商標）などの監視システムでは、玄関のみならず、窓等の出入り口にセンサを配置して家屋全体の出入り口を監視対象として各センサからの信号をコントローラで受けて集中管理をし、コントローラから回線を通してホストコンピュータ等に監視情報を転送するシステムとなっている。この種の監視システムは、大きなシステムであり、監視する人がセンタに配置されている。
【非特許文献１】竹中エンジニアリング株式会社のセキュリティ・情報機器総合カタログ
【０００３】
これらとは別に、一般家庭用の安価な警報システムとしては、防犯警報ブザーなどがある。これは、扉あるいは窓などに両面接着テープで固定する磁石付きスイッチを介して扉あるいは窓が開放されたときにブザーを駆動するものである。これは、ＯＮ／ＯＦＦスイッチにより夜間に監視状態に入り、磁石がスイッチから一定距離離れたときにブザーが鳴る装置である。
また、屋内に対人センサを設置して玄関を含めて監視し、無線スイッチにより時間遅れで対人センサを起動して監視するシステムも知られている。
【発明の開示】
【発明が解決しようとする課題】
【０００４】
一方、在宅中あるいは就寝中に空き部屋に泥棒が侵入する事件も絶えない。そこで、屋内に対人センサを設置して在宅中も空き部屋や廊下、エントランス等を監視することが必要になる。しかし、在宅中も含めて空き部屋や廊下、エントランス等を監視するとなると、居住者が監視状態のエリアに誤って踏み込むことにより誤報が発生する問題がある。特に、問題となるのが夜間にトイレ等にいくときに監視エリアを通過しなければならないときである。二階に寝室があってトイレが一階にあるような場合には、トイレへ行く前に監視を解除し、トイレから戻った後に監視状態に入る操作を夢ごこちの状態でその都度行わなければならなくなる。それは至難なことである。
また、昼間においてもトイレへ行くことはあるし、それ以外でも部屋から部屋へ移動することはある。そのため、屋内に対人センサを設置する場合には留守における監視とならざるを得ない。屋内に対人センサを設けた場合の難しさは、人がつい監視状態にあることを忘れて、ある部屋から別の部屋へ移動したときに、うっかり監視されて誤報となることである。しかし、いくつもの部屋がある中で一人住まいの老人や独身女性、一人で家に居る人（主婦）などの場合にはどうしても不安になり、不審者の侵入を防止するか、監視システムが欲しくなる。しかし、システムが大がかりとなり、高価でなかなか手が届かない。安価な防犯警報ブザーは、ドアを開けずにガラスを破って進入した場合には効果がない。
この発明の目的は、このような従来技術の問題を解決するものであって、在宅状態で対人センサの監視設定、監視解除が容易にでき、実質的に誤報をなく日常の在宅活動ができる警報システムを提供することにある。
【課題を解決するための手段】
【０００５】
このような目的を達成するための第１の発明は、屋内に設置された対人センサにより侵入者を検出して警報信号を発生する警報システムにおいて、
対人センサが設置された第１のエリアと対人検出対象とはされない第２のエリアと、出入りのために第２のエリアに設けられた自動的に閉じる開閉扉と、対人センサを動作させて警報を発生する監視状態と対人センサの動作を停止しあるいは警報信号の発生を停止する監視停止状態とを開閉扉が所定値以上開けられるごとに交互に繰り返す制御をする制御回路と、第２のエリアに入る人あるいは第２のエリアにいる人が監視状態に設定するためのスイッチとを備えるものである。
また、第２の発明は、前記の自動的に閉じる開閉扉を通常の開閉扉に換えて、この開閉扉が所定の一定時間以上所定値以上開けられた状態になっているときにそのことを報知する報知装置を設けて扉を閉めるように促し、さらに必要に応じて扉が閉められないときに前記の制御回路が監視停止状態を所定の一定期間の間だけに制限して監視状態に戻すものである。
【０００６】
さらに、第３の発明は、前記の開閉扉がある、なしに関係なく、第１のエリアへと通じる第２のエリアの出入口に設けられた物の通過方向を検出する移動方向検出回路と、移動方向検出回路が第２のエリアに入る方向の物の移動を検出したときに対人センサを動作させて前記警報を発生する監視状態とし、移動方向検出回路が第２のエリアから出る方向の物の移動を検出したときに対人センサの動作を停止しあるいは警報信号の発生を停止する監視停止状態にする制御をする制御回路と、第２のエリアに入る人あるいは第２のエリアにいる人が監視状態に設定するためのスイッチとを備えるものである。
【発明の効果】
【０００７】
屋内に対人センサを設置して在宅中も空き部屋や廊下、エントランス等を監視する場合に、監視システムの誤報をなくすために、例えば、寝室等の監視エリア外の部屋の扉の開け閉めに応じて監視エリアにおける監視の解除と監視設定をすることが考えられる。しかし、扉の開け閉めは、内側からも外側からもあり、開けっ放しや開けた後に即座に閉めらる場合もあれば、閉められた扉がどのようなタイミングで開けられ、開けられた状態の扉がどのようなタイミングでまた閉められるかは全く不明である。しかも、扉がない部屋もあるので、このようなシステムでの監視の解除と設定を実現することは難しいことである。
【０００８】
ところで、在宅中に監視状態に入るときの多くは、一人で特定の部屋（第２のエリア）に居るときか、寝室（第２のエリア）等で就寝中のときである。このようなときには、対人検出対象とはされない特定の部屋（第２のエリア）あるいは寝室（第２のエリア）から出入りする人は、通常、一人しかない。トイレに行くときに二人同時に行くのは新婚当時ぐらいなものでほとんどない。それは、トイレが一人しか使用できないからである。
たとえ、寝室に２人いたとしても、一人が出て帰った後に一人が出る、いわゆる一人出入りとなる。したがって、２人あるいはそれ以上の人が部屋の中に居た場合であっても、その出入りは１人いるのと同じ状況になる。しかも、侵入者の監視が必要なときの多くは家屋内に１人でいるときである。
また、玄関扉以外の、部屋と廊下、部屋と部屋との間を仕切る扉（あるいは引き戸）は、よほと迷った場合の例外を除いて、一定以上扉を開けたときには人が部屋から出るときである。特に、人が通れるほど扉が開けられたときには途中で戻ることはほとんどない。まして、警報システムがあることが頭の中に入っていれば、人が出る状態、あるいは入る状態の扉の開け、閉めは人の出入りに対応しているとみることができる。問題は、扉を開けっ放しにした場合である。
なお、子供を含めて人が通れるほどの洋式のドアの開放は、通常、半間幅（９０ｃｍ）の片側開き扉で角度５０度程度か、それ以上であり、和式扉の引き戸では手の操作が戸自体に加わるので、通常、４０ｃｍ程度か、それ以上になる。
そして、前記した扉を開けっ放しにした場合（例外）は、自動的に閉まる扉にするか、扉が開けっ放しになっていることを報知して人が立ち去る前に開いた扉を閉めてもらうか、部屋の内部あるいは外部に監視システムの現在の監視状態を報知するモニタを設けて警報を発すれば回避できる。あるいは扉の開閉を要件としないシステムを設ければ回避できる。
【０００９】
そこで、第１の発明のように、第２のエリアに入る人あるいは第２のエリアにいる人が監視状態に設定するためのスイッチとを備えるものである。これにより、第２のエリアに居る状態では監視状態に設定されているので、第２のエリアに設けられた出入りのための開閉扉は、監視状態においては第２のエリアから人が出るときにまず開かれ、それが最初になる。次に開くときには、その人が戻ってきたときである。この戻ったときには警報システムは、監視停止状態にある。
したがって、扉がある場合には、現在の監視状態と扉の開閉との関係により人が第２のエリアから出るのか、入るのかが決定でき、しかも、一人出入りでは、監視状態と監視停止状態とが交互に入れ替わる。
第１の発明では、開かれた開閉扉は自動的に閉じられるので、監視停止状態において開閉扉が所定値以上開けられたときには、出た人が第２のエリアへ戻ってきたときと判定することができる。逆の場合には、第２のエリアから出るときと判定することができる。
この場合、第２のエリアの内側に監視状態に設定するためのスイッチがあればよいが、第２のエリアの外側近傍に監視状態に設定するためのスイッチを設けた場合には、第２のエリアに入るときにこのスイッチが先に操作される。このような場合には、扉が閉まるまで時間的な遅延を持たせて監視状態に入るか、スイッチが操作された直後に監視停止状態に設定して扉を開放して監視状態に設定されるようにするか、このときの扉の開けを無効にすればよい。
また、第２のエリアの出入り口付近まで監視範囲に入っている場合には、扉を開く途中で監視停止状態から監視状態に入ってしまうと困る。空き部屋や廊下、エントランス等を監視するので、通常は、これらエリアは、これほど接近して設けられないが、そうでない場合には、扉が閉まるまで時間的な遅延を持たせて監視状態に入ればよい。
第１の発明のように、自動的に閉まる開閉扉を設ければ、扉の開けっ放しはなく、人の出入りに対して扉の開放角度を精度よく検出することができる。さらに、第２のエリアへの出入りが一人一人個別に分かれる効果もある。
なお、所定値以上扉が開けられたときに監視解除と監視状態の設定とが行われるので、換気等の必要に応じて、所定の角度以下で扉を開放することは可能になる。
【００１０】
一方、特に、和室などの場合の扉は、引き戸となり、これに自動的に扉を閉じる扉機構を付けると高価になり、取付け難い。また、洋式ドアも自動的に扉を閉じる機構が取付けられないところもある。
そこで、第２の発明のように、自動的に閉まる開閉扉とはせずに、開閉扉が所定の一定時間以上開放、例えば、３秒程度開放状態になっているときにそのことを報知する報知装置を設け、さらに必要に応じて所定の一定期間後に監視停止状態から監視状態に戻す制御をする。このようにすれば、開閉扉が開けっ放しになっていても、手動で扉を閉じることができる。万が一、開放のままになって出ていっても一定期間後は監視状態に入ることができる。監視状態になっているので、帰ったら単に開いた扉を閉めればよい。
強制的に監視状態に戻す所定の一定期間を通常トイレで用を足す以上の時間、あるいは昼間に用事をする活動以上の時間、例えば、２０分程度に設定しておけばよい。扉を閉めることを促す警報があるので、誤報はほとんど生じない。
万一、時間前に扉が開放のままになっている状態で部屋に戻ったときには、扉開きの警報状態になっているので、人が通れない程度扉を少し閉めて（一定値以下にして）警報を解除してから扉を開けて部屋に入ればよい。次に部屋を出るときに監視状態にあるので扉を開けて出ればよい。
ところで、前記の強制的に監視状態に戻る一定期間を１０分，２０分，３０分，１時間、２時間等のうちから選択できるようにし、一定期間を夜間、例えば、午前０時から午前５時までのようにしてこの間だけ強制的に監視状態に戻るようにすれば、トイレに行くとき等に限定した監視ができ、誤報はほとんど発生しない。
【００１１】
一方では、リビングのように開閉扉が存在しない部屋もある。前記の場合には一人出入りを考えているが、そうではないケースも多い。このような場合には、扉の開閉に関係なく、人の出入りを監視すれば、扉を自動閉成する装置も一定期間に監視状態に戻す時間監視も不要になる。
そこで、第３の発明のように、第２のエリアの出入口に物（人）の通過方向を検出する移動方向検出回路を設けて、第２のエリアから人が出たのか、第２のエリアに人が入ったのかに応じて監視状態を解除して監視停止状態とし、あるいは監視停止状態から監視状態に戻すようにする。
人が連続的に出入りする場合には、部屋から出た人と入った人との数が分かるように、その人数をカウンタでカウントするようにれば、最後の人が第２のエリアに戻ったときに、監視状態に入ることができる。これにより一人出入りというシステムの制限をなくすことができる。
なお、第２のエリア内に居る人が複数で連続的に人が出入りをする場合には、移動方向検出回路に光センサのような通過センサを設けたのでは、出入り誤検出が発生する虞がある。そこで、人の出入りをより確実に検出するために通過センサを足で踏むマットスイッチに換えて、マットスイッチに設けた隣接するラインスイッチの動作する順序で歩く人の足の動き、そのものをキャッチして第２のエリアから人が出たのか、第２のエリアに人が入ったのかを判定するようにする。このようにすれば、扉の開閉や開けっ放しに関係なく、より正確な人の出入りを判定できる。
さらに、第１〜第３の発明をそれぞれ組み合わせることで、より精度の高い人の出入りの検出と、監視状態の設定、解除が可能になる。
その結果、在宅状態で対人センサの監視設定、監視解除が容易にでき、実質的に誤報をなく日常の在宅活動ができる警報システムを実現できる。
【発明を実施するための最良の形態】
【００１２】
図１は、この発明の警報システムを適用した一実施例の説明図、図２は、他の実施例の説明図、図３は、さらに他の実施例の説明図、図４は、移動方向検出回路の他の具体例の説明図、図５は、移動方向検出回路のさらに他の具体例の説明図、図６は、監視エリアと非監視エリアの説明図、そして図７は、回線を介して警報を外部に自動通信するシステムの説明図である。
【実施例１】
【００１３】
図１において、１は警報システムであって、対人センサ２が図６に示すように、玄関１０の次の間１１の天井に設置されている。ここでの対人センサ２は、いわゆる、人体から放射された赤外線を受けて検出信号を発生する赤外線センサである。
詳しくは、これは、人体検知センサーであって、多面ミラーを介して人体が発生する赤外線を赤外線センサで受けて、赤外線センサで得られる検出信号を増幅器で増幅し、フィルタ処理をして人の動きに対応する周波数範囲、例えば、０．１Ｈｚ〜１０Ｈｚ程度の低周波領域の信号を取出し、この信号をコンパレータにより所定の閾値と比較して閾値を越えた信号を検出信号として得るものである。さらに、この対人センサ２には、この検出信号を駆動回路に送出してリレースイッチあるいは半導体スイッチ等を駆動することで発光部等を駆動することが可能である。
この対人センサ２は、玄関１０の出入り口１０ａ（第１のエリア）と二階の主寝室１２にセンサ感度エリア（対人検出範囲）Ｓ（図６参照）がない状態で設置される。それにより玄関１０の出入り口や主寝室１２を含まない次の間１１（空き部屋や廊下、エントランス等）の監視エリア１１ａ（センサ感度エリアＳ，第２のエリア）において、人体から放射された赤外線を受けて次の間１１の侵入者を検出する。対人検出範囲Ｓは、人体からの赤外線を受光して人体を検出できる対人センサ２の検出対象のエリアである。
【００１４】
対人センサ２が設置された次の間１１（対人センサ２側）には、起動回路３と間欠駆動回路４とが設けられ、対人センサ２は、間欠駆動回路４を介してベル等の警報器５を駆動する。そこで、警報器５は、間欠駆動回路４に接続されて、これにより駆動される。
間欠駆動回路４は、対人センサ２が検出動作をしたときに起動され、これが起動されたときには、例えば、１分置きに５分間、警報器５を所定の期間の間、例えば、３０分間の間駆動する。なお、誤動作等でこの３０分間の駆動を停止するために警報器５には動作停止スイッチ６が設けられている。この動作停止スイッチ６は、隠れスイッチとして警報器５のケース６ａに内蔵されている。
図６において、１２は、二階あるいは他の階にある主寝室であり、ここは対人センサ２の監視範囲外（非監視エリア）となっていて、ここには、対人センサ２を動作させあるいはその動作を停止させるＯＮ／ＯＦＦ信号を発生するスイッチ８と、開閉扉１３、扉開閉検出スイッチ１４、自動扉閉め機構１５、操作スイッチ１６、そしてスイッチ駆動回路１７とが設けられている。
【００１５】
起動回路３は、テープスイッチ３１と、起動回路本体３２、そして配線ライン３３とからなる。起動回路本体３２は、対人センサ２側のケース２０に内蔵され、電源回路３４、リレー駆動回路３５、そしてリレースイッチ３６とからなる。なお、リレースイッチ３６は、ブレーク接点（常時閉成形／駆動されていないときにＯＮ）のリレーである。
リレー駆動回路３５は、押時間判定回路３５ａと、監視設定／解除回路３５ｂ、そしてこれにより駆動されるＮＰＮのバイポーラの駆動トランジスタＱを有する駆動回路３５ｃとからなる。ここで、配線ライン３３の長さは、テープスイッチ３１が対人センサ２の対人検出対象の外に引き出される長さ、例えば、１０ｍ〜１５ｍ程度のものになっている。
出入り口１０ａ（第１のエリア）に設けられたテープスイッチ３１は、対人センサ２の設置場所から玄関１０まで取り出された配線ライン３３により押時間判定回路３５ａに接続される。テープスイッチ３１は、玄関１０において、図６に示すように、対人センサ２の監視エリア（対人検出範囲Ｓ）に入らない位置（第１のエリア）に設置されている。例えば、テープスイッチ３１は、出入り口１０ａに配置された下駄箱内部の壁面に隠れスイッチとして設けられている。
【００１６】
押時間判定回路３５ａは、内部に３秒程度の時定数回路（単安定マルチバイブレータ，例えば図３の単安定マルチバイブレータ２９参照）とゲート回路（あるいはコンパレータ）とを有し、テープスイッチ３１が一定期間、例えば、３秒以上押されたときの信号を時定数回路とゲート（あるいはコンパレータ）とにより検出して駆動開始パルスＰ1を発生して監視設定／解除回路３５ｂに送出する。駆動開始パルスＰ1を受けてその立下がり信号で監視設定／解除回路３５ｂが駆動トランジスタＱを駆動してリレースイッチ３６の接点をブレークして対人センサ２の駆動を解除して監視停止状態にする。監視設定／解除回路３５ｂは、センサ入力でＯＮ／ＯＦＦする通常のセンサ回路と同様に入力パルスに応じてトランジスタＱをＯＮ／ＯＦＦする回路であり、ゲート回路とフリップフロップとアンプ等とにより構成される。
テープスイッチ３１が単に１回押されたときには、例えば、３秒未満の間１回押されたときには、押時間判定回路３５ａが駆動停止パルスＰ2を発生して監視設定／解除回路３５ｂに送出される。駆動停止検出パルスＰ2の立上がり信号により監視設定／解除回路３５ｂが駆動トランジスタＱの駆動を停止してリレースイッチ３６の接点をメークして対人センサ２を動作させて監視状態に入る。
なお、テープスイッチ３１は、燐青銅の下部電極板とセグメント化された多数の燐青銅片の上部電極との間に絶縁材が設けられ、押されることで下部電極板と上部電極片の少なくとも１つとが接触する市販されている厚さの薄い板状のスイッチであり、その厚さが薄いことで、下駄箱の壁面等に両面接着剤で同系色のものとして設けた場合には、隠れスイッチとなり、極めて見つけ難い。
【００１７】
電源回路３４は、プラグ３４ａを介してＡＣ電源にコンセントに接続され、＋６ＶのＤＣの電力をリレー駆動回路３５に供給する。なお、プラグ３４ａは、対人センサ２のプラグにもなっていていてこれによりリレースイッチ３６を介して対人センサ２に電力供給を行う。なお、抵抗Ｒ1，Ｒ2は、トランジスタＱのバイアス抵抗である。
テープスイッチ３１が３秒以上押されたときには、リレー駆動回路３５の駆動回路３５ｃが動作して駆動トランジスタＱがＯＮ駆動されていて常時リレースイッチ３６に電流が流れる。これによりリレースイッチ３６は、接点がブレークされて、ＯＦＦ状態に保持される。一方、対人センサ２は、リレースイッチ３６を介してＡＣ電力が供給されるので、リレースイッチ３６がＯＦＦ状態にあるときには動作しない。これにより玄関１０の次の間１１は監視状態に入らない（監視停止状態）。
一方、テープスイッチ３１が３秒以下で１回押されたときには、駆動回路３５ｃの動作が停止して駆動トランジスタＱがＯＦＦしてリレースイッチ３６には電流が流れない。これによりリレースイッチ３６は、接点がメークされてＯＮ状態に保持される。このとき、対人センサ２は、リレースイッチ３６を介してＡＣ電力が供給され、玄関１０の次の間１１は監視状態に入る（図６の対人検出範囲Ｓ参照）。
主寝室１２側に設けられているスイッチ８は、一端が抵抗Ｒ3でプルアップされ、他端が抵抗Ｒ4でプルダウンされ、この他端の端子が監視設定／解除回路３５ｂの入力端子に接続されて、そのＯＮ／ＯＦＦ信号が監視設定／解除回路３５ｂに入力される。スイッチ８は、駆動されていないときにはＯＦＦ状態にあって、スイッチ駆動回路１７により駆動されてＯＮあるいはＯＦＦにされ、さらに、主寝室１２内において開閉扉１３の近傍に操作スイッチ１６に連動して同時にＯＮにされる。スイッチ８は、３本の配線ライン９ａ，９ｂ，９ｃを介して主寝室１２まで引き出されている。そのうち、配線ライン９ａ，９ｂは電源ラインと接地ラインであり、９ｃが信号ラインである。
監視設定／解除回路３５ｂは、スイッチ８がＯＦＦからＯＮしたときの立上がりパルスを内部のワンショット回路を介して駆動開始パルスＰ2として受けてトランジスタＱをＯＦＦして監視状態にする。スイッチ８がＯＮからＯＦＦしたときには、これの立下がりパルスを内部の別のワンショット回路を介して監視設定／解除回路３５ｂは、駆動停止パルスＰ1として受けてトランジスタＱのＯＮして駆動状態にし、監視停止状態に入る。スイッチ８のＯＮ／ＯＦＦとトランジスタＱのＯＮ／ＯＦＦとは逆の動作になる。
【００１８】
主寝室１２の出入り口の開閉扉１３に設けられた自動扉閉め機構１５は、主寝室１２の出入り口に設けられた開閉扉１３の上部に設けられている。これは、ヒンジ部１５ａとアーム１５ｂ，１５ｃとを持つ戻りばね機構等により、開けられた開閉扉１３を自動的に閉める機構である。そのヒンジ部１５ａの部分にはアーム１５ｂの回転角に応じてＯＮ／ＯＦＦする扉開閉検出スイッチ１４が設けられている。これにより、開閉扉１３が人（子供も含む）が通るだけの一定量以上開かれたときに扉開閉検出スイッチ１４がＯＮになる。
スイッチ駆動回路１７は、扉開閉検出スイッチ１４がＯＮからＯＦＦした立下がり信号を扉が開いた検出信号として受けて、これに応じてスイッチ８をＯＮ／ＯＦＦする回路である。操作スイッチ１６は、ＯＮすることによりスイッチ駆動回路１７に配線ライン９ａを介して電力を供給する。スイッチ１４は、一端が抵抗Ｒ5でプルアップされ、他端が抵抗Ｒ6でプルダウンされている。その他端がワンショット回路１７ｂの立下がりトリガ入力に接続されている。
【００１９】
スイッチ駆動回路１７は、トグル動作のフリップフロップ（Ｔ−ＦＦ）１７ａとワンショット回路１７ｂ，１７ｃとからなる。トグル動作フリップフロップ１７ａは、例えば、デュアルｊ−ｋマスタースレーブフリップフロップの各端子を“Ｈ”に設定してクロックに応じてＱ出力、Ｑバー出力を交互に反転させるものである。扉開閉検出スイッチ１４のＯＮからＯＦＦの検出信号の立下がりをクロックパルス（トリガパルス）としてフリップフロップ１７ａのクロック端子（トリガ端子）Ｃｐに入力する。ここでは、ワンショット回路１７ｂを介して扉一定以上開の検出信号を入力する。
操作スイッチ１６がＯＮにされたときには、フリップフロップ１７ａがワンショット回路１７ｃを介してその信号“Ｈ”をクリア端子ＣＬに受けて初期状態で“１”にセットされ、これのＱ出力が“Ｈ”になるようにする。そして、このＱ出力でスイッチ８をＯＮにする。これでトランジスタＱがＯＦＦして監視状態になる。
Ｑ出力“Ｈ”でスイッチ８をＯＮに初期設定しておき、その後のクロック信号でフリップフロップ１７ａが反転してＱ出力“Ｌ”でスイッチ８をＯＮからＯＦＦにする。このＱ出力“Ｌ”でスイッチ８をＯＦＦにすることで、トランジスタＱがＯＮして監視停止状態になる。
以後、扉開閉検出スイッチ１４のＯＮからＯＦＦの立下がり信号に応じて、言い換えれば、扉の一定以上開いたことの信号ごとにフリップフロップ１７ａが反転してスイッチ８が交互にＯＮ／ＯＦＦする。
なお、ｊ−ｋフリップフロップの外部に２つのアンドゲートを設けてＱバー出力とＱ出力を２つのアンドゲートのそれぞれのゲート信号として入力してＱバー出力を受けるアンドゲートをセット信号、Ｑバー出力を受けるアンドゲートをリセット信号としてｊ−ｋフリップフロップに入力する。そして、セット出力側のアンドゲートの他方に監視停止状態のときの扉開閉検出スイッチ１４のＯＮからＯＦＦの立下がり信号をインバータを介して“Ｈ”にして入力してｊ−ｋフリップフロップをセットする。リセット出力側のアンドゲートの他方に監視状態のときの扉開閉検出スイッチ１４のＯＮからＯＦＦの立下がり信号をインバータを介して“Ｈ”にして入力してｊ−ｋフリップフロップをリセットする。このようにすることでもｊ−ｋフリップフロップのトグル動作は可能である。
この場合には、監視停止状態での扉の一定値以上の開放のときに監視停止状態とし、監視状態での扉の一定値以上の開放のときに監視停止状態とする制御になる。
【００２０】
さて、操作スイッチ１６がＯＮにされたときに、初期状態でＱ出力“Ｈ”がスイッチ８に供給され、操作スイッチ１６に連動してスイッチ８がＯＮになる。このことで、トランジスタＱがＯＦＦして次の間１１が監視状態に入る。操作スイッチ１６は、主寝室１２の出入り口付近の主寝室１２内部に設けられた、次の間１１を監視状態に設定するためのスイッチである。
主寝室１２にいる人あるいは入る人は、この操作スイッチ１６をＯＮにして次の間１１を監視状態にする。操作スイッチ１６が主寝室１２の内部にあるときには内部に居る人が監視状態に設定する。
一方、操作スイッチ１６を主寝室１２の外側のドア付近に設置した場合には、操作スイッチ１６がＯＮにされてから主寝室１２に人が入ることになる。そのため、前記したように、操作スイッチ１６がＯＮにされた直後の扉開閉検出スイッチ１４の検出信号は無効にするか、次の間１１を監視停止状態にしておかなければならない。そこで、操作スイッチ１６がＯＮにされたときにその信号をインバータを介して“Ｌ”にしてフリップフロップ１７ａのクリア端子ＣＬに入力する。“Ｌ”がクリア端子ＣＬに入力されると、初期状態でフリップフロップ１７ａが“０”にリセットされて、Ｑ出力が“Ｌ”に初期設定される。このとき次の間１１は、監視停止状態であっても監視状態にあってもよい。
これによりスイッチ８がＯＦＦ状態のままとなり、次に人が通過できる一定値以上扉が開かれ、扉開閉検出スイッチ１４がＯＮしてＯＦＦした立下がり信号がフリップフロップ１７ａのクロック端子に入力してフリップフロップ１７ａが“１”にセットされてＱ出力が“Ｈ”となり、スイッチ８がＯＮし、トランジスタＱがＯＦＦして次の間１１が監視状態に設定される。このときには扉を開けた人は、すでに主寝室１２に入っている。
要するに、人が通過できる一定値以上扉が開かれる検出信号を１個手前に追加してフリップフロップ１７ａを動作させただけのことである。なお、ワンショット回路１７ｂの期間を長くして、人が主寝室１２に入ってからフリップフロップ１７ａを初期状態に“１”にセットするようにしてもよい。これによっても、操作スイッチ１６がＯＮにされた直後の一定期間の間扉開閉検出スイッチ１４の検出信号をワンショット回路１７ｂで阻止して無効にすることができる。この場合には、フリップフロップ１７ａを“０”にリセットする必要はない。
ここでは、トグル動作のフリップフロップ（Ｔ−ＦＦ）１７ａのセット状態“１”は、監視状態に対応し、“０”リセットは、監視停止状態に対応している。そこで、フリップフロップ１７ａの初期設定“１”あるいは“１”セットが監視状態にあるときであり、“０”が監視停止状態にあるときである。ここでは、初期設定“１”のときには人が主寝室１２の中に居る条件が成立している。
【００２１】
Ｑ出力が“Ｈ”になり、スイッチ８がＯＮし、トランジスタＱがＯＦＦして次の間１１が監視状態に入っているときには、開閉扉１３は、閉じられている。このときには、主寝室１２の中に人が居るときである。そこで、主寝室１２に居た人が次の間１１を通って階段下にあるトイレ等の行くために、開閉扉１３が開かれて扉開閉検出スイッチ１４がＯＦＦからＯＮになり、続いてＯＮからＯＦＦになると、その立下がり信号がフリップフロップ１７ａのクロック端子Ｃｐに入力され、フリップフロップ（ＦＦ）１７ａが反転して“０”にリセットされてＱ出力が“Ｌ”になる。これによりスイッチ８がＯＦＦしてその立下がり信号（駆動開始パルスＰ1に対応）を監視設定／解除回路３５ｂが受けてトランジスタＱがＯＮになり、次の間１１の監視状態が解除されて監視停止状態に入る。
そこで、開閉扉１３を開けて監視状態が停止された状態で主寝室１２から出ることができる。人が部屋から出た後に開閉扉１３は自動的に閉じられる。その後、その人がトイレ等から戻ってくると、開閉扉１３が開かれて扉開閉検出スイッチ１４が再びＯＦＦからＯＮになり、ＯＮからＯＦＦになる。その立下がり信号がフリップフロップ１７ａのクロック端子Ｃｐに入力され、フリップフロップ（ＦＦ）１７ａが反転して“１”にセットされてＱ出力が“Ｈ”になる。これによりスイッチ８がＯＮしてこの立上がり信号（駆動停止パルスＰ2に対応）を監視設定／解除回路３５ｂが受けて、トランジスタＱがＯＦＦして次の間１１を監視停止状態から監視状態に戻す。
【００２２】
このとき、監視状態あるいは監視停止状態において開閉扉１３が短時間に開け閉めが何回か行われたるとチャタリングノイズを発生する。これを防止するためにあるいは一定期間のＯＮからＯＦＦへの信号に応答しないようにするために、扉開閉検出スイッチ１４とフリップフロップ１７ａのクロック端子Ｃｐとの間にワンショット回路１７ｂが設けられている。
また、監視状態に入って開閉扉１３が開けて閉められてトイレに行くのを止めて部屋に戻った場合には、監視停止状態になるので、次にトイレに行くときは逆に監視状態になるが、扉の開閉角が小さければ扉開閉検出スイッチ１４がＯＦＦのままであるので問題はない。そこで、このような場合に誤報が発生しないように、扉開閉検出スイッチ１４に対する、人が出るとき、入るときの開閉扉１３の開閉を検出する際の扉開き角を選択する。
通常、開閉扉１３は、扉を出た人がまっすくに前に出る場合に人が通るために開閉扉１３を開く角度は半間幅（９０ｃｍ）のドアでは５０度以上になる。扉を出た人が扉に沿って左右どちらか横方向に向かう場合には１０度程度少なくなり、４０度以上の角度で扉が開かれる。手で開ける以上、大人と子供とで、また扉の構造で多少の差があるが、手で開く方向にドアが押されているので、比較的正確な角度で人の出入りを検出できる。そこで、扉開閉検出スイッチ１４がＯＮからＯＦＦになる角度を、通常、３５度から４０度の間で選択して設定すれば、玄関の扉ではないので、前記のような誤動作はほとんどなくなる。もちろん、扉を出た人が扉に沿って左右どちらか横方向に向かう場合には４０度から５０度の間に設定すればよい。ドアの幅が大きくなれば、前記の検出角度は、小さくなる。自動閉成する装置を引き戸に付けた場合には、その引き戸は、通常、４０ｃｍ程度か、それ以上になる。
したがって、扉開閉検出スイッチ１４の扉開きのＯＮする検出角度を調整することで人の出入りを適正に検出することができる。
【００２３】
検出角以上で扉が開かれ、主寝室１２から人が出ない場合に、逆に人が主寝室１２に入らない場合には、玄関以外の部屋においては万が一の場合である。監視状態を報知装置でモニタすることによりこれに対応することができる。
フリップフロップ１７ａのＱ出力は、監視状態を示す報知装置１８に送出されて、監視状態のときにはＱ出力“Ｈ”によりこれを受けて赤のＬＥＤ１８ａが点灯され、ブザー１８ｃにより一定期間ピッーピッーと監視状態に入った音が発せられる。監視停止状態のときにはＱ出力“Ｌ”によりこれを受けて緑のＬＥＤ１８ｂが点灯され、一定期間ピーピーと前者とは異なる音で監視停止状態に入った音が発せられる。
【００２４】
このようにして、一人出入りの主寝室１２等の出入り応じて次の間１１の監視状態を一時的に解除でき、誤報なしにトイレ等に行くことができる。もちろん、昼間、一人で主寝室１２等にいる、家屋内に１人しかいない監視が必要なときなどには、トイレに行く場合に限らず、監視状態の解除と設定は可能である。特に、外出するときなどには、主寝室１２から出れば監視停止状態となり、戻ることはないので、そのまま、玄関に行って、テープスイッチ３１を押せば、それで監視状態に入ることができるので非常に便利である。
ここでは、主寝室１２を監視されないエリアとして説明しているので、その出入り口も監視されないエリアになっている。しかし、次の間１１の奥にある部屋であっても同様である。ただし、その部屋の出口が対人検出範囲Ｓになっているときには、監視停止状態から監視状態に入る場合には、開閉扉１３が開かれて扉開閉検出スイッチ１４がＯＦＦからＯＮになり、さらにＯＮからＯＦＦになって扉が完全に閉められた時間遅れを入れて監視停止状態に入らないと、途中で警報が鳴ることになる。このような場合は、人の戻りのときに開閉扉１３が開かれて扉開閉検出スイッチ１４がＯＮからＯＦＦになってから遅延時間を持たせてフリップフロップ１７ａに検出信号を入力するようにすればよい。
また、操作スイッチ１６がＯＮからＯＦＦにされたときには監視状態ではスイッチ８がＯＦＦしてトランジスタＱがＯＮして監視停止状態になり、また、監視停止状態では、スイッチ８がＯＦＦのままとなって監視停止状態に戻る。このときにはスイッチ駆動回路１７は動作しないので、テープスイッチ３１のみで監視状態の設定とその解除とを行うことになる。
【実施例２】
【００２５】
和室などの場合の扉は、引き戸となり、引き戸に自動閉成する装置を付けると高価になり、取り付け難い。また、洋式のドアでも自動閉成する装置を付けると高価になる。このような場合には、自動的に閉まる開閉扉とはせずに、ここでは、制御回路は、３秒程度待って、扉を閉める警報を発生する。さらにそのままの状態が続くときに、所定の一定期間後には監視停止状態から監視状態に戻す制御をする。
図２（ａ）に示すように、自動扉閉め機構１５に換えてスイッチ駆動回路１７にタイマ回路１７ｄとアンドゲート１７ｅ，ナンドゲート１７ｆとを設け、扉開閉検出スイッチ１４として引き戸１３ａの上部にリミットスイッチ１４ａと引き戸の天井側枠の途中に作動板１４ｂとを設ける。タイマ回路１７ｄは、タイミング信号ＴＡを発生する単安定マルチバイブレータ（図３の単安定マルチバイブレータ２９参照）とタイミング信号ＴＢを発生する通常のタイマ回路とからなり、タイミング信号ＴＢを発生して動作を停止する。
すなわち、扉開閉検出スイッチ１４は、図２（ｂ）に示すように、引き戸１３ａの先頭上部に設けられたリミットスイッチ１４ａと上部レールの脇に張り付けられた作動板１４ｂとからなる。引き戸１３ａが４０ｃｍ以上開放されたときに引き戸１３ａのリミットスイッチ１４ａの作動子が上部の作動板１４ｂと接触してＯＮになる。引き戸枠から４０ｃｍ程度の引き戸１３ａの上部位置までが作動板１４ｂが設けられる範囲である。
これにより人が出入りする幅分か、それ以上引き戸１３ａ（扉）が開かれたときに、扉開閉検出スイッチ１４（そのリミットスイッチ１４ａ）がＯＮする。このＯＮ信号“Ｈ”（Ｈｉｇｈレベル）をタイマ回路１７ｄとアンドゲート１７ｅとに入力する。タイマ回路１７ｄは、リミットスイッチ１４ａのＯＮ信号で起動され、時間計測を開始する。そして、扉開閉検出スイッチ１４のＯＮから３秒後に“Ｈ”となるタイミング信号ＴＡと、設定された時間、例えば、１５分後にタイムアウトしたことを示すタイミング信号ＴＢ（立上がり信号）とを発生する。タイミング信号ＴＢを発生したときにはタイミング信号ＴＡは停止する。
なお、タイミング信号ＴＡの計測時間は、１秒から６秒程度のうちから選択された秒数である。この秒数は、ドアから人が離れたときに警報音を知りうる範囲である。
【００２６】
タイミング信号ＴＡ“Ｈ”は、アンドゲート１７ｅに入力される。そこで、引き戸１３ａが閉められないときに、報知回路１８にタイミング信号ＴＡ“Ｈ”が入力されて、ブザー１８ｃを駆動して引き戸１３ａを閉めるように促す警報ピピー、ピピー、が発生される。
タイマ回路１７ｄは、引き戸１３ａが閉められ、リミットスイッチ１４ａがＯＦＦになったときには動作を停止する。これによりタイミング信号ＴＡ、後に発生するタイミング信号ＴＢの発生も停止する。したがって、警報ピピー、ピピー、も停止する。
一方、別にワンショット回路１７ｂは、引き戸１３ａが開けられてリミットスイッチ１４ａのＯＮ信号の立上がり信号で起動され、その出力がパルスは、クロック端子Ｃｐに入力してフリップフロップ１７ａを反転させて、フリップフロップ１７ａが“１”から“０”に設定される。これにより、スイッチ８がＯＦＦして次の間１１は、監視状態が解除されて監視停止状態になる。
引き戸１３ａが開けられたままで、リミットスイッチ１４ａがＯＮになったままのときにはタイマ回路１７ｄは、時間カウントを継続してやがてタイミング信号ＴＡを停止してタイミング信号ＴＢを発生する。この時間は、引き戸１３ａが開けられてから、例えば、１５分後である。
【００２７】
タイミング信号ＴＢは、ナンドゲート１７ｆを経てフリップフロップ１７ａのクロック端子Ｃｐに立下がり信号として入力される。これによりフリップフロップ１７ａを反転させる。その結果、フリップフロップ１７ａは、“０”から“１”になって、スイッチ８がＯＮして強制的に監視停止状態から監視状態になる。ナンドゲート１７ｆの他方の入力は、監視停止状態にあるときのＱバー出力“Ｈ”を受けて、２入力が“Ｈ”になったタイミングで“Ｌ”出力を発生する。タイミング信号ＴＢが発生したときには、タイミング信号ＴＡは停止する。したがって、警報は停止する。そこで、１５分間以上経って主寝室１２に戻ったときには、単に、開いた引き戸１３ａを閉めればよい。なお、タイミング信号ＴＢを発生後にタイマ回路１７ｄは動作を停止する。
一方、引き戸１３ａが開けられたままでタイミング信号ＴＢが発生する前に、監視停止状態で人が戻ったときには、タイミング信号ＴＡが発生しているので、開けっ放しのままの状態に対して警報が発生し続けている。そこで、まず、警報を解除（警報を停止）するために引き戸１３ａが扉開閉検出スイッチ１４がＯＦＦする程度まで閉められる。このときタイマ回路１７ｄは動作を停止し、警報も停止する。
次に、部屋に戻った人が引き戸１３ａを開けるとリミットスイッチ１４ａのＯＮ信号でフリップフロップ１７ａは、“０”から“１”になって、監視状態に入ることができる。このときタイマ回路１７ｄは動作を開始するが、引き戸１３ａを開けた人が部屋に入り、引き戸１３ａを閉められればタイマ回路１７ｄは動作を停止する。このときにも３秒以上引き戸１３ａが開いていると、閉めるようにと警報が鳴る。万が一、このときも扉が閉められなかった場合には警報状態で１５分間経過するとタイマ回路１７ｄからタイミング信号ＴＢが発生する。しかし、監視状態ではナンドゲート１７ｆによりこの信号は阻止される。ナンドゲート１７ｆの他方の入力は、監視状態にあるのでＱバー出力“Ｌ”を受けてナンドゲート１７ｆの出力は“Ｈ”のままである。そこで、監視停止状態に戻ることはない。
なお、タイマ回路１７ｄは、単安定マルチバイブレータ側は可変コンデンサ等によるマニュアル操作でタイミング信号ＴＡを、タイマ回路側は可変抵抗等によるマニュアル操作でＴＢの発生時間を設定できるものである。
そこで、トイレに行くときには、１５分程度に時間を設定しておく、そうすれば万が一扉が開けっ放しであっても、監視状態に入ることができる。昼間、用事をするときには、その用事に応じて３０分乃至１時間程度の監視解除時間を設定をすればよい。
【００２８】
図２（ｃ）は、洋式のドアの場合のリミットスイッチ１４ａと作動板１４ｂの例である。作動板１４ｂは、ドア枠の上部に張り付けられた円弧状の板となる。リミットスイッチ１４ａは、開閉扉１３のドア１３ａの上部に側に作動板１４ｂの位置に対応して取付けられる。
ドア１３ａが反時計方向に４５度以上開かれると、リミットスイッチ１４ａがＯＮし、ドア１３ａが閉められると、リミットスイッチ１４ａがＯＮからＯＦＦになる。
なお、実施例２の場合には、自動的に扉が閉まらないので、扉開閉検出スイッチ１４は、ＯＦＦからＯＮになる信号を検出信号としている。
ところで、実施例１，２においては、一人出入りの場合における監視設定と監視解除が中心となる。主寝室１２等の監視対象ではない第２のエリアに２人以上の人がいた場合にはどうするか。２目以降の出入りについては、人り出た後に監視停止状態に入るので、部屋から出る人も部屋に入る人も開閉扉１３あるいは引き戸１３ａを２回開け閉めして出入りすれば監視停止状態が維持されるので出入りに問題は生じない。
部屋に戻って来た人が最後の人であれば１回の開け閉めを行えば、そこで、監視停止状態から監視状態に戻すことができる。報知装置１８をみて監視状態に戻っていなければ、もう一度扉の開け閉めをすれば済む。これが扉の１回の開閉ごとに監視状態と監視停止状態とを交互に行う利点である。
【実施例３】
【００２９】
リビングのように閉閉扉１３がない場所が非監視エリアである場合もある。このような場合には、前記の２つの実施例では対処できない。また、一人が出て、その人が帰った後に一人が出る、一人出入りをしない場合、すなわち、複数の人がリビングにいて、連続的に人が出入りする場合には前記した実施例では問題がある。
そこで、このような場合には、スイッチ駆動回路１７に換えて、出入り口に移動方向検出回路を設けて人の移動方向を検出して、リビングから人が出たのか、そこに入ったのかを検出する。
図３は、その実施例であり、主寝室１２の位置をここでは扉のない二階リビング１２ａと仮定する。そしてリビング１２ａには、その出入り口に図３に示すような光センサ部２１と検出部２３と方向判定論理回路２４とからなる移動方向検出回路２０を図１，図２のスイッチ駆動回路１７に換えて設ける。
図３（ａ）に示すように、光センサ部２１には、発光素子（ＬＥＤ）と受光素子（フォトトランジスタ）の組みを２組み設ける。すなわち、ＬＥＤ２１ａ、フォトトランジスタ２２ａは、リビング１２ａの出入り口の内側に、そしてＬＥＤ２１ｂ、フォトトランジスタ２２ｂは、リビング１２ａの出入り口の外側に設ける。なお、これらセンサの高さは、大人の腰の当たりの高さに配置されている。これにより子供に対しても検出できる。
【００３０】
受光信号は、検出部２３の検出器（ワンショット回路＋コンパレータ）Ａ２３ａ、検出器（ワンショット回路＋コンパレータ）Ｂ２３ｂを介して所定のパルス幅の検出パルスＰａ，Ｐｂにされて方向判定論理回路２４に入力され、方向判定論理回路２４でリビング１２ａから出る検出信号Ａあるいはリビング１２ａへ入る検出信号Ｂを発生する。
方向判定論理回路２４は、通常、バッファアンプ２５ａ，２５ｂでそれぞれの検出パルスＰａ，Ｐｂを受けてエッジトリガＪ−Ｋフリップフロップ２６ａ，２６ｂのクロック端子Ｃｐに検出パルスＰａ，Ｐｂがそれぞれ入力され、同時にナアンドゲート２７ａ，２７ｂにもそれぞれ入力される。
フリップフロップ２６ａ，２６ｂのクリア端子ＣＬには、ナアンドゲート２７ａ，２７ｂの出力をノアゲート２８、単安定マルチバイブレータ２９（ｃはその外付けコンデンサ、ＩＣ７４Ｓ１２１）を介して一定時間後にクリアパルス“Ｌ”を発生してそれぞれに入力する。このとき、クリア端子ＣＬに“Ｌ”を入力することにより、フリップフロップ２６ａ，２６ｂのそれぞれのＱ出力を“Ｌ”に、Ｑバー出力を“Ｈ”に初期設定する。これにより各フリップフロップ２６ａ，２６ｂを初期状態に戻す。
ナアンドゲート２７ａ，２７ｂの出力は、それぞれインバータ２８ａ，２８ｂを介してアンドゲートにして出力端子２４ａ、２４ｂに出力する。これにより、出力端子２４ａにはリビング１２ａへ入る検出信号Ｂが発生し、出力端子２４ｂにはリビング１２ａから出る検出信号Ａが発生する。
検出器（ワンショット回路＋コンパレータ）２３ａ、２３ｂのワンショット回路の期間調整で光センサの光遮断信号のタイミングを決めて即座に短い期間の検出パルスＰａ，Ｐｂを発生することができる。
【００３１】
これら検出信号Ａ，Ｂを次にアップダウンカウンタ３０に入力してカウントする。リビング１２ａから出る検出信号Ａをアップカウント端子ＵＰに入れて、これの数を加算する。また、リビング１２ａに入る検出信号Ｂをダウンカウント端子ＤＷに入れてアップダウンカウンタ３０のカウント値を減算する。
アップダウンカウンタ３０は、初期状態で“０”となっていて、“０”から“１”になった時点でカウンタの各桁の論理を採って論理回路１９で駆動信号“Ｈ”から“Ｌ”にしてスイッチ８をＯＮからＯＦＦにしてトランジスタＱをＯＮにし、次の間１１の監視状態を解除して、監視停止状態にする。そして、アップダウンカウンタ３０のカウント値が逆に“１”から“０”に戻った時点で駆動信号を“Ｌ”から“Ｈ”にしてスイッチ８をＯＮにしてトランジスタＱをＯＦＦにし、次の間１１の監視状態にする。なお、操作スイッチ１６がＯＮにされたときにアップダウンカウンタ３０のカウント値が“０”にリセットされる。なお、論理回路１９は、操作スイッチ１６がＯＮにされたときの初期状態になり、この初期状態で“Ｈ”の出力を発生してスイッチ８をＯＮにし、トランジスタＱをＯＦＦして次の間１１の監視状態にする。
論理回路１９は、カウンタ３０の桁を４桁，１６人分とすれば、比較基準値を“０００１”として内部に一致検出回路を設けてカウントアップ信号に応じて一致信号が発生したか、カウントダウン信号に応じて一致信号が発生した後に停止したかにより各出力信号を発生することができる。
【００３２】
そこで、操作スイッチ１６がＯＮにされ、操作スイッチ１６に連動してスイッチ８がＯＮになって次の間１１が監視状態に入る。論理回路１９により、最初に人が出たときに、アップダウンカウンタ３０の値が“０００１”となり、スイッチ８がＯＦＦにされ、監視停止状態になる。最後に人が戻ったときにアップダウンカウンタ３０の値が“００００”となり、スイッチ８がＯＮにされ、監視状態になる。
これにより監視状態に入っているときに最初にリビング１２ａから人が出たときに監視停止状態に入り、その後数人でたときにはカウント値が増加し、戻った人の人数に応じてカウント値が減少して、最後の一人がリビング１２ａに戻ってきたときに次の間１１を監視状態に戻すことができる。
ところで、図３の前記の移動方向検出回路２０の光センサ部２１は、透過型の光センサを用いているが、これは赤外線等を用いた反射型の光センサを使用してもよい。
なお、誤動作したとき等のためにアップダウンカウンタ３０のカウンタの値を調整する。そのために、値をセットしあるいはリセットするセット・リセット回路３０ａを設ける。さらに、監視状態を示す報知装置１８とＬＥＤ１８ａ，１８ｂとブザー１８ｃは、リビング１２ａの内部で出入り口付近に設けておく。これにより、いま、監視状態になっているか、監視停止状態になっているかを確認できる。また、監視状態の設定と解除は、操作スイッチ１６でもできる。
【００３３】
さらに、リビング１２ａ等から出たときには、監視停止状態になり、玄関まで来て、テープスイッチ３１を押すことで、監視状態に設定して外出ができる。監視状態になっていても、外から身内が戻り、玄関で戻すテープスイッチ３１を３秒以上押すと、監視状態が解除されて、どこの部屋でも入ることができる。リビング１２ａに入ったときに、操作スイッチ１６をＯＦＦしてＯＮすれば、また、監視状態に入ることができる。
なお、図３において、点線で示すように、テープスイッチ３１を押して監視状態に入るときに発生する押時間判定回路３５ａの駆動停止パルスＰ2を配線ライン９ｄを追加してセット・リセット回路３０ａに入力してアップダウンカウンタ３０のカウント値を同時に値“０”にリセットするようにするとよい。
【実施例４】
【００３４】
図４は、人の出入りを検出する移動方向検出回路の他の具体例の説明図である。
移動方向検出回路２００は、図１，図２のスイッチ駆動回路１７に換えて設けられるものである。
移動方向検出回路２００は、センサ部２０１と検出部２３と方向判定論理回路２４とからなる。センサ部２０１は、図３のセンサ部２１のＬＥＤ２１ａ、フォトトランジスタ２２ａに変えて扉開閉検出スイッチ１４とワンショット回路２１ｃが設けられ、ワンショット回路２１ｃの出力パルスが検出部２３ａに入力される。また、図３のセンサ部２１のＬＥＤ２１ｂ、フォトトランジスタ２２ｂに変えて赤外線センサ２１ｄとワンショット回路２１ｅが設けられ、ワンショット回路２１ｅの出力パルスが検出部２３に入力される。これ以外の構成は、図３（ａ），（ｂ）と同様である。
これを図１，図２のスイッチ駆動回路１７に換えて設けて主寝室１２の出入り口での人の出入りを検出することができる。すなわち、扉開閉検出スイッチ１４がＯＮからＯＦＦしたときに信号をワンショット回路２１ｃで検出パルスＰａとして発生して検出部２３に入力し、赤外線センサ２１ｃで検出した信号をワンショット回路２１ｅで検出パルスＰｂとして発生して検出部２３に入力して前記の検出信号Ａ，Ｂを得るものである。
なお、扉開閉検出スイッチ１４が主寝室１２の出口側とされ、赤外線センサ２１ｄがリビング１２ａの入り口側とされても、逆に配置されてもよい。
この移動方向検出回路２００の利点は、人が出入りすることなく、単に扉が開かれただけの場合には移動方向検出回路２００が動作しないことである。これにより扉開閉だけの場合の警報設定／解除の誤動作を防止することができる。
なお、図３のの光センサ部２１は、このようなものばかりでなく、他のセンサを用いてもよい。
【実施例５】
【００３５】
図５は、人の出入りを検出する移動方向検出回路の他の具体例の説明図である。
図５は、光センサ部２１を接点式スイッチにした実施例であって、図５（ａ）に示すように、幅２．５ｃｍのテープスイッチ４１ａ〜４１ｆの６本を、０．５ｃｍおきに配列したマットスイッチ４０を移動方向検出回路のセンサとして用いたものである。テープスイッチ４１ａ〜４１ｆは、テープスイッチ３１と同じ構造で長さの長いものである。
それぞれのテープスイッチ４１ａ〜４１ｆの一端子は、図５（ｂ）に示すように、電源電圧＋ＶDD（＋６Ｖ）に接続されたプルアップ抵抗Ｒ7に接続されている。テープスイッチ４１ａ〜４１ｆの他端子は、プルダウン抵抗Ｒ8〜Ｒ13のそれぞれを介してそれぞれがグランドＧＮＤに接続されている。さらに、この他端は、隣接する２端子が５個の移動方向検出回路２０ａ〜２０ｅにそれぞれ接続されている。
【００３６】
移動方向検出回路２０ａ〜２０ｅは、図３の移動方向検出回路２０に対応するものであり、図３の光センサ部２１の発光素子と受光素子とがテープスイッチ４１ａ〜４１ｆにそれぞれに置き換えられたものである。各移動方向検出回路２０ａ〜２０ｅは、それぞれテープスイッチ４１ａ〜４１ｆのうち隣接する２本のテープスイッチの他端が接続されていて、それぞれがテープスイッチ４１ａ〜４１ｆの立下がり信号、すなわち、ＯＮからＯＦＦしたときに検出信号として受けて検出パルスＰａ，Ｐｂを発生する。そのために検出部Ａ，Ｂの入力側には図４と同様にワンショット回路（図示せず）が設けられている。
移動方向検出回路２０ａ〜２０ｅのそれぞれの検出信号Ａは、カウンタ４２に入力されてカウントされる。移動方向検出回路２０ａ〜２０ｅのそれぞれの検出信号Ｂは、カウンタ４３に入力されカウントされる。そして、デジタルカ値比較回路４４によりカウンタ４２とカウンタ４３の値が比較される。
このことで人の移動方向が検出される。リビング１２ａから出る検出信号Ａがリビング１２ａから入る検出信号Ｂより多いときにはそれを検出信号Ａとしてデジタルカ値比較回路４４が発生し、逆の場合には検出信号Ｂとして発生し、これらをアップダウンカウンタ３０に入力して、論理回路１９の出力で前記と同様にスイッチ８をＯＮ／ＯＦＦする。
【００３７】
さて、人がマットスイッチ４０に足を載せたときには、テープスイッチ４１ａ〜４１ｆの６本のうち少なくとも隣接する２本以上がＯＮになる。次に、足を上げて人が移動すると、その移動方向に応じてテープスイッチ４１ａ〜４１ｆの６本のうち踏まれたものが踏まれなくなることで順次ＯＮからＯＦＦに変化していく。このＯＦＦする順序は、出入り方向で相違する。
例えば、図５（ａ）に示すように、下がリビング１２ａ側とし、上がリビング１２ａの外側とすると、人がリビング１２ａから出る場合には、リビング１２ａの内側（下）からリビング１２ａの外側（上）に向かって、テープスイッチ４１ｆの方向からテープスイッチ４１ａの方向へと順次ＯＦＦしていく。逆に、人がリビング１２ａに入る場合には、リビング１２ａの外側（上）からリビング１２ａの内側（下）に向かって、テープスイッチ４１ａの方向からテープスイッチ４１ｆの方向へと上から下に向かって順次ＯＦＦしていく。このＯＦＦする順序を移動方向検出回路２０ａ〜２０ｅによりそれぞれ検出して方向検出信号Ａ，Ｂを発生して、信号数が多い方で人の出入りをデジタルカ値比較回路４４で判定する。
人がリビング１２ａから出ていくときにはデジタルカ値比較回路４４の出力信号Ａでアップダウンカウンタ３０の値をカウントアップし、人がリビング１２ａに入るときにはデジタルカ値比較回路４４の出力信号Ｂでアップダウンカウンタ３０の値をカウントダウンする。
なお、このマットスイッチ４０は、リビング１２ａの出入り口の内側あるいは外側に限らず、階段の最上段から１段下の段等に配置することができる。
【００３８】
図７は、警報器５を発光器５０に換えて、さらにカメラ５１を設けたものである。さらに、回線５２に接続されて所定の携帯電話５３に回線５２を介して画像を転送するコンピュータシステム５４が設けられている。もちろん、警報器５と発光器５０とを共に設けてもよい。
コンピュータシステム５４とデジタルカメラ５１とはＵＳＢバス５５により接続され、デジタルカメラ５１により撮像された映像は、コンピュータシステム５４に一旦記憶され、コンピュータシステム５４に記憶されている予め指定された携帯電話５３の番号にコンピュータシステム５４に内蔵された通信制御システム、回線５２に接続せれたサーバを介して転送されて携帯電話５３に記憶される。
なお、この場合、携帯電話５３には受信画像を記憶するプログラムが内蔵されている。また、このような画像を受信したときには、携帯電話５３に警報音を発生させ、警報画像を表示させるようにするとよい。
これにより、泥棒等の家屋侵入者の顔写真等の画像が携帯電話５３に記憶され、後日証拠として提出することが可能になる。
ところで、対人センサ２が検出動作をしたときには、発光器５０とデジタルカメラ５１とが間欠駆動回路４により駆動され、例えば、１秒間に３枚の画像が採取される。さらに、このとき、録音装置を設けて、画像の採取とともに音声等の録音をして携帯電話５３に転送し、記憶するようにすることも可能である。
このようなシステムを設けることで、侵入者が襲ってきた場合などで恐怖で助けを呼ぶ余裕のない状態であっても、特定の人に自動的に連絡が採れる効果がある。
【００３９】
以上説明してきたこの実施例５の図５（ａ）に示すマットスイッチ４０は、実施例１〜実施例４のいずれかと組み合わせて使用することができ、これによりさらに誤報の発生しない信頼性の高いシステムにすることができる。
すなわち、フリップフロップ１７ａの状態を反転させるクロック信号を発生する条件として次の２つの信号が発生したことを条件とすることができる。
１．実施例１の扉開閉検出スイッチ１４の検出信号と図５のデジタルカ値比較回路４４の出力信号（検出信号Ａ，Ｂのいずれか）の２つの信号が発生したこと。
２．実施例１の扉開閉検出スイッチ１４の検出信号と図５の移動方向検出回路２０ａ〜２０ｅのいずれかの方向検出信号Ａ（論理和の信号）の２つの信号が発生したこと。
３．実施例１の扉開閉検出スイッチ１４の検出信号と図５の移動方向検出回路２０ａ〜２０ｅのいずれかの方向検出信号Ｂ（論理和の信号）との２つの信号が発生したこと。
４．実施例２の扉開閉検出スイッチ１４の検出信号と図５のデジタルカ値比較回路４４の出力信号（検出信号Ａ）との２つの信号が発生したこと。
５．実施例２の扉開閉検出スイッチ１４の検出信号と図５の移動方向検出回路２０ａ〜２０ｅのいずれかの方向検出信号Ａ（論理和の信号）の２つの信号が発生したこと。
６．実施例２の扉開閉検出スイッチ１４の検出信号と図５の移動方向検出回路２０ａ〜２０ｅのいずれかの方向検出信号Ｂ（論理和の信号）の２つの信号が発生したこと。
なお、いずれの場合も扉開閉検出スイッチ１４の検出信号は、ＯＮからＯＦＦになる信号あるいはＯＦＦからＯＮになる信号を用いることができる。
７．実施例３の移動方向検出回路２０の検出信号Ａと図５のデジタルカ値比較回路４４の出力信号（検出信号Ａ）との２つの信号が発生したこと。
８．実施例３の移動方向検出回路２０の検出信号Ｂと図５のデジタルカ値比較回路４４の出力信号（検出信号Ｂ）との２つの信号が発生したこと。
９．実施例３の移動方向検出回路２０の検出信号Ａと図５の移動方向検出回路２０ａ〜２０ｅの方向検出信号Ａの論理和の信号との２つの信号が発生したこと。
１０．実施例３の移動方向検出回路２０の検出信号Ｂと図５の移動方向検出回路２０ａ〜２０ｅの方向検出信号Ｂの論理和の信号との２つの信号が発生したこと。
１１．図４の実施例の場合も同様である。
１〜１１の場合には図５のデジタルカ値比較回路４４等は不要である。
なお、２つの信号が発生したことを条件とする場合には両者の信号の発生にずれがあるので、両者の信号をフリップフロップ等で一旦記憶してから論理積を採るとよい。
【００４０】
警報監視システムの全体的な動作について説明する。
外出等で玄関１０から外へ出る際にテープスイッチ３１を押せば、対人センサ２が別途動作して監視状態（警報状態）に入ることができる。テープスイッチ３１に３秒以上押せば、監視状態を解除して元の状態に容易にできる。
さらに、リレースイッチ３６はブレーク接点（常時閉成形）のリレーであるので、テープスイッチ３１が破壊されたり、配線ライン３３が切断されても監視状態は解除できない。したがって、泥棒等の家屋侵入者がテープスイッチ３１を発見して破壊し、あるいは配線ライン３３を切断して玄関１０から次の間１１に入ったとしても、対人センサ２は動作し、対人センサ２が侵入者を検出して間欠駆動回路４が起動されて警報器５が作動する。たとえ侵入者が次の間１１を出ても警報器５は鳴り続ける。このとき、警報器５は特定の条件で駆動を停止するようにしてもよい。
一方、例えば、就寝するときには、主寝室１２にある操作スイッチ１６をＯＮにする。これにより、対人センサ２が動作して監視状態（警報状態）に入ることができる。操作スイッチ１６は、２４時間タイマを使用すると自動的に就寝時間に合わせて、例えば、夜１２時から朝の５時までの間ＯＮ状態に設定することができる。さらに、就寝中にトイレに行ったとしても、扉開閉検出スイッチ１４と自動扉閉め機構１５、タイマ回路１７ｄ等によりあるいは移動方向検出回路２０，２００等により人の出入りが検出されることで、このような場合の誤報が実質的に排除できる。
【００４１】
以上説明してきたが、図１の実施例では、テープスイッチ３１に換えて磁石とリードスイッチとによりＯＮ／ＯＦＦさせてもよい。また、実施例のこのスイッチは、隠れスイッチである必要はないが、隠れスイッチにすれば、泥棒等の家屋侵入者は、容易に発見し難い。この隠れスイッチとしては、玄関１０の目立たないところにボックスあるいは埋め込みボックスを設けてその内部に隠して配置するとよい。この場合、スイッチに対する配線ラインは、壁面あるいは床面と同系色で表面を覆うか、天井裏を通して別途配線するとよい。
また、各実施例では、監視停止状態に設定する場合に対人センサ２の動作を停止している。しかし、対人センサ２の動作を停止するのではなく、対人センサ２の動作はそのままにしておいて、警報装置側の動作を停止することでも監視停止状態になるので、警報装置側の動作を停止するものであってもよい。
【産業上の利用可能性】
【００４２】
以上説明してきたが、実施例では、対人センサを玄関の次の間１１に配置しているが、この対人センサ２をテープスイッチ３１が配置された出入り口に隣接するエリア以外の他のエリアに配置してもよいことはもちろんである。さらに、多くの対人センサを多数のエリアにそれぞれ設けて、それらを並列接続してもよい。
また、実施例では、出入り口（第１のエリア）１０ａを玄関１０の一部に設定し、玄関等の出入り口を対人検出対象とはしないようにしているが、これは、玄関１０ａの全体であってもよい。また、玄関等を監視対象とした場合には、対人検出対象とはならない裏口等にスイッチを設けてもよい。
さらに、対人センサとしては赤外線センサに限らず、マイクで人が歩く音を検出して人がいることを検出する音響センサが用いられてもよい。さらには、感温センサ等で人の体温を検出するようなものであってもよい。また、光源と光センサを向かい合わせた遮光形光センサや電波、超音波を用いて人からの反射波を受光する反射形センサなどであってもよい。
【図面の簡単な説明】
【００４３】
【図１】図１は、この発明の警報システムを適用した一実施例の説明図である。、図３は、さらに他の実施例の説明図、図５は、さらに他の実施例の説明図、そして、図１は、この発明の警報システムを適用した一実施例の説明図である。
【図２】図２は、他の実施例の説明図である。
【図３】図３は、さらに他の実施例の説明図である。
【図４】図４は、移動方向検出回路の他の具体例の説明図である。
【図５】図５は、移動方向検出回路のさらに他の具体例の説明図である。
【図６】図６は、監視エリアと非監視エリアの説明図である。
【図７】図７は、回線を介して警報を外部に自動通信するシステムの説明図である。
【符号の説明】
【００４４】
１…警報システム、２…対人センサ、
３…起動回路、４…間欠駆動回路、
５…警報器、６…動作停止スイッチ、
８…スイッチ、９ａ，９ｂ，９ｃ，９ｄ，３３…配線ライン、
１０…玄関、１０ａ…出入り口（第１のエリア）、
１１…玄関の次の間、１１ａ…監視エリア（第２のエリア）
１２…主寝室、１２ａ…リビング、１３…開閉扉、
１４…扉開閉検出スイッチ、１５…自動扉閉め機構、
１６…操作スイッチ、１７…スイッチ駆動回路、
１７ａ…フリップフロップ（Ｔ−ＦＦ）、１７ｂ，１７ｃ…ワンショット回路、
１８…報知装置、１８ｃ…ブザー、
２０，２０ａ〜２０ｅ…移動方向検出回路、
２１…センサ部、
２１ａ，２１ｂ…ＬＥＤ、２２ａ，２２ｂ…フォトトランジスタ、
２３…検出部、２４…方向判定論理回路、
２５ａ，２５ｂ…バッファアンプ、
２６ａ，２６ｂ…エッジトリガＪ−Ｋフリップフロップ、
２７ａ，２７ｂ…ナアンドゲート、３０…アップダウンカウンタ、
３１…テープスイッチ、３２…起動回路本体、
３４…電源回路、３５…リレー駆動回路、
３６…リレースイッチ、４０…マットスイッチ、
４１ａ〜４１ｆ…テープスイッチ、
Ｒ1，Ｒ2…バイアス抵抗、
Ｑ…ＮＰＮのバイポーラトランジスタ。
【図１】
2006048217.tif 000003
【図２】
2006048217.tif 000004
【図３】
2006048217.tif 000005
【図４】
2006048217.tif 000006
【図５】
2006048217.tif 000007
【図６】
2006048217.tif 000008
【図７】
2006048217.tif 000009